(57)【要約】【課題】延伸区間における糸の温度を高い精度で制御でき、高品質な糸の生産を可能とした紡糸巻取設備を提供する。【解決手段】糸Ｙを延伸温度Ｔｈまで加熱する一つ又は複数の加熱ローラ２１ａ・２１ｂ・２１ｃと、糸Ｙを調質温度Ｔｔまで加熱する一つ又は複数の調質ローラ２２ａ・２２ｂと、を備え、糸Ｙの送り方向に対して最も下流側に配置された前記加熱ローラ２１ｃと最も上流側に配置された前記調質ローラ２２ａの間で糸Ｙを延伸できるように構成した紡糸巻取設備１００において、全ての前記加熱ローラ２１ａ・２１ｂ・２１ｃ及び前記調質ローラ２２ａ・２２ｂを収納する保温ボックス２３を具備し、最も下流側に配置された前記加熱ローラ２１ｃは、更に遮蔽カバー２４で覆われている。【選択図】図２
2014101610.tif 000002
【特許請求の範囲】
【請求項１】
糸を延伸温度まで加熱する一つ又は複数の加熱ローラと、
糸を調質温度まで加熱する一つ又は複数の調質ローラと、を備え、
糸の送り方向に対して最も下流側に配置された前記加熱ローラと最も上流側に配置された前記調質ローラの間で糸を延伸できるように構成した紡糸巻取設備において、
全ての前記加熱ローラ及び前記調質ローラを収納する保温ボックスを具備し、
最も下流側に配置された前記加熱ローラは、更に遮蔽カバーで覆われている、ことを特徴とする紡糸巻取設備。
【請求項２】
前記遮蔽カバーは、該遮蔽カバーの近傍に配置された前記加熱ローラや前記調質ローラからの輻射熱及び糸の走行やローラの回転に伴う気流による熱伝達の少なくとも一つを遮断する、ことを特徴とする請求項１に記載の紡糸巻取設備。
【請求項３】
それぞれの前記加熱ローラは、該加熱ローラの表面温度を任意の温度に設定できる温度調節手段を具備する、ことを特徴とする請求項１又は請求項２に記載の紡糸巻取設備。
【請求項４】
それぞれの前記調質ローラは、該調質ローラの表面温度を任意の温度に設定できる温度調節手段を具備する、ことを特徴とする請求項１から請求項３のいずれか一項に記載の紡糸巻取設備。
【発明の詳細な説明】
【技術分野】
【０００１】
本発明は、紡糸巻取設備の技術に関する。より詳細には、高品質な糸の生産を可能とした紡糸巻取設備の技術に関する。
【背景技術】
【０００２】
従来より、糸を延伸温度まで加熱する延伸加熱ローラ（以降「加熱ローラ」とする）と、糸を調質温度まで加熱する調質加熱ローラ（以降「調質ローラ」とする）と、を備えた紡糸巻取設備が知られている。このような紡糸巻取設備は、糸の送り方向に対して最も下流側に配置された加熱ローラと最も上流側に配置された調質ローラの間で糸を延伸する（例えば特許文献１）。ここでは、糸の延伸が行なわれる区間を「延伸区間」と定義する。
【０００３】
ところで、高品質な糸を生産するには、延伸区間における糸の温度が重要となる。また、ランニングコストの低減を実現するには、加熱ローラや調質ローラを一つの保温ボックスに収納し、電力消費を抑えることが重要となる。しかし、加熱ローラや調質ローラを一つの保温ボックスに収納すれば、延伸区間における糸の温度制御が困難になる場合があった。これは、糸を延伸区間へ送り出す加熱ローラの表面温度、即ち、最も下流側に配置された加熱ローラの表面温度が、近傍に配置された加熱ローラや調質ローラから影響を受けて変化してしまうことに起因する。
【先行技術文献】
【特許文献】
【０００４】
【特許文献１】特開２０１１−１２２２７６号公報
【発明の概要】
【発明が解決しようとする課題】
【０００５】
本発明は、延伸区間における糸の温度を高い精度で制御でき、高品質な糸の生産を可能とした紡糸巻取設備を提供することを目的としている。
【課題を解決するための手段】
【０００６】
次に、この課題を解決するための手段を説明する。
【０００７】
即ち、第１の発明は、
糸を延伸温度まで加熱する一つ又は複数の加熱ローラと、
糸を調質温度まで加熱する一つ又は複数の調質ローラと、を備え、
糸の送り方向に対して最も下流側に配置された前記加熱ローラと最も上流側に配置された前記調質ローラの間で糸を延伸できるように構成した紡糸巻取設備において、
全ての前記加熱ローラ及び前記調質ローラを収納する保温ボックスを具備し、
最も下流側に配置された前記加熱ローラは、更に遮蔽カバーで覆われている、としたものである。
【０００８】
第２の発明は、第１の発明に係る紡糸巻取設備において、
前記遮蔽カバーは、該遮蔽カバーの近傍に配置された前記加熱ローラや前記調質ローラからの輻射熱及び糸の走行やローラの回転に伴う気流による熱伝達の少なくとも一つを遮断する、としたものである。
【０００９】
第３の発明は、第１又は第２の発明に係る紡糸巻取設備において、
それぞれの前記加熱ローラは、該加熱ローラの表面温度を任意の温度に設定できる温度調節手段を具備する、としたものである。
【００１０】
第４の発明は、第１から第３のいずれかの発明に係る紡糸巻取設備において、
それぞれの前記調質ローラは、該調質ローラの表面温度を任意の温度に設定できる温度調節手段を具備する、としたものである。
【発明の効果】
【００１１】
本発明の効果として、以下に示すような効果を奏する。
【００１２】
第１の発明によれば、本紡糸巻取設備は、全ての加熱ローラ及び調質ローラを収納する保温ボックスを具備している。そして、最も下流側に配置された加熱ローラは、更に遮蔽カバーで覆われている。このため、最も下流側に配置された加熱ローラの表面温度は、糸の走行に伴って発生する気流の影響を受けにくい。また、最も下流側に配置された加熱ローラの表面温度は、近傍に配置された加熱ローラや調質ローラの回転によって発生する気流の影響を受けにくい。従って、本紡糸巻取設備は、延伸区間における糸の温度を高い精度で制御でき、高品質な糸を生産することが可能となる。
【００１３】
第２の発明によれば、遮蔽カバーは、該遮蔽カバーの近傍に配置された加熱ローラや調質ローラからの輻射熱及び糸の走行やローラの回転に伴う気流による熱伝達の少なくとも一つを遮断する。このため、最も下流側に配置された加熱ローラの表面温度は、近傍に配置された加熱ローラや調質ローラからの輻射熱や、糸の走行やローラの回転に伴う気流による熱伝達の影響を受けにくい。従って、本紡糸巻取設備は、延伸区間における糸の温度を更に高い精度で制御でき、高品質な糸を生産することが可能となる。
【００１４】
第３の発明によれば、それぞれの加熱ローラは、該加熱ローラの表面温度を任意の温度に設定できる温度調節手段を具備する。このため、糸の温度を効率良く延伸温度まで上昇させることができる。従って、本紡糸巻取設備は、加熱ローラの数を少なくすることで摩擦による毛羽の発生を低減でき、高品質な糸を生産することが可能となる。
【００１５】
第４の発明によれば、それぞれの調質ローラは、該調質ローラの表面温度を任意の温度に設定できる温度調節手段を具備する。このため、糸の温度を効率良く調質温度まで上昇させることができる。従って、本紡糸巻取設備は、調質ローラの数を少なくすることで摩擦による毛羽の発生を低減でき、高品質な糸を生産することが可能となる。
【図面の簡単な説明】
【００１６】
【図１】紡糸巻取設備１００の全体構成を示す図。
【図２】紡糸巻取設備１００を構成するゴデットローラ群２０Ａを示す図。
【図３】加熱ローラ２１ｃを覆う遮蔽カバー２４を示す図。
【図４】紡糸巻取設備２００の全体構成を示す図。
【図５】紡糸巻取設備２００を構成するゴデットローラ群２０Ｂを示す図。
【図６】加熱ローラ２１ｂを覆う遮蔽カバー２４を示す図。
【発明を実施するための形態】
【００１７】
まず、本発明の一の実施形態に係る紡糸巻取設備１００について説明する。
【００１８】
図１は、紡糸巻取設備１００の全体構成を示す図である。一般的に紡糸巻取設備は、糸を完全に延伸させた完全延伸糸（ＦＤＹ）を製造する設備と、糸を部分的に延伸させた部分延伸糸（ＰＯＹ）を製造する設備と、に分けられる。本実施形態に係る紡糸巻取設備１００は、完全延伸糸（ＦＤＹ）を製造する設備にあたる。
【００１９】
紡糸巻取設備１００は、フィラメントＦを紡出し、該フィラメントＦを束ねて成る糸Ｙを所望の特性とした後に、該糸Ｙを巻き取ることによってパッケージＰを作成する。紡糸巻取設備１００は、主に紡出装置１０と、ゴデットローラ群２０Ａと、巻取装置３０と、で構成されている。
【００２０】
紡出装置１０は、複数のフィラメントＦを紡出する。紡出装置１０に投入された合繊原料（フィラメントＦの原料）は、押出機によって圧送され、スピニングヘッドに設けられた複数の紡出口から紡出される。紡出装置１０から紡出されたフィラメントＦは、該紡出装置１０の下方に向けて案内される。
【００２１】
紡出装置１０から紡出されたフィラメントＦは、所定の本数ごとに束ねられて複数本の糸Ｙを構成する。そして、フィラメントＦを束ねて成る糸Ｙは、オイリング装置を介してゴデットローラ群２０Ａに導かれる。
【００２２】
ゴデットローラ群２０Ａは、糸Ｙを延伸するとともに、延伸された糸Ｙを調質する。ここで、「延伸」とは、糸Ｙを所定の温度条件下で引き伸ばすことにより、糸Ｙの分子配向性を高めて繊維結晶を形成させる工程をいう。また、「調質」とは、糸Ｙを所定の温度条件下で維持することにより、非晶領域の分子配向性を緩和させる工程をいう。かかる工程をヒートセットともいう。これにより、所望の特性を得ることができるとともに、特性の安定化を図ることが可能となる。
【００２３】
ゴデットローラ群２０Ａは、加熱ローラ群２０Ｈと、調質ローラ群２０Ｔと、に分けられる（図２参照）。ゴデットローラ群２０Ａに導かれた糸Ｙは、加熱ローラ群２０Ｈを構成する各加熱ローラ２１によって延伸温度まで加熱される。そして、各加熱ローラ２１によって加熱された糸Ｙは、適宜に延伸された後に調質ローラ群２０Ｔを構成する各調質ローラ２２によって調質温度まで加熱される。その後、調質が完了した糸Ｙは、巻取装置３０へ送り出される。
【００２４】
巻取装置３０は、ゴデットローラ群２０Ａから送り出された糸Ｙを巻き取ってパッケージＰを作成する。巻取装置３０のボビンホルダ３１には、複数のボビンＢが取り付けられている。ボビンＢは、ボビンホルダ３１が回転することによって、該ボビンホルダ３１と一体となって回転する。こうして、巻取装置３０は、複数本の糸Ｙを同時に巻き取り、それぞれのボビンＢ上にパッケージＰを作成するのである。
【００２５】
次に、ゴデットローラ群２０Ａについて詳細に説明する。
【００２６】
図２は、紡糸巻取設備１００を構成するゴデットローラ群２０Ａを示す図である。なお、図中に示す矢印は、糸Ｙの送り方向を示している。
【００２７】
上述したように、ゴデットローラ群２０Ａは、加熱ローラ群２０Ｈと調質ローラ群２０Ｔに分けられる。本紡糸巻取設備１００において、加熱ローラ群２０Ｈは、三つの加熱ローラ２１で構成されている。それぞれの加熱ローラ２１には、温度調節手段である電熱ヒータ２１ｈが内蔵されており、各加熱ローラ２１の表面温度を任意に設定することができる。一方、調質ローラ群２０Ｔは、二つの調質ローラ２２で構成されている。それぞれの調質ローラ２２には、温度調節手段である電熱ヒータ２２ｈが内蔵されており、各調質ローラ２２の表面温度を任意に設定することができる。
【００２８】
ここで、加熱ローラ群２０Ｈを構成する各加熱ローラ２１を、糸Ｙの送り方向における上流側から順に加熱ローラ２１ａ、加熱ローラ２１ｂ、加熱ローラ２１ｃ、と定義する。また、調質ローラ群２０Ｔを構成する各調質ローラ２２を、糸Ｙの送り方向における上流側から順に調質ローラ２２ａ、調質ローラ２２ｂ、と定義する。
【００２９】
加熱ローラ群２０Ｈに導かれた糸Ｙは、該加熱ローラ群２０Ｈによって延伸に適した温度まで加熱される。つまり、加熱ローラ群２０Ｈに導かれた糸Ｙは、所定の表面温度に設定されたそれぞれの加熱ローラ２１ａ・２１ｂ・２１ｃに巻き掛けられることにより、延伸温度まで加熱されるのである。そして、延伸温度まで加熱された糸Ｙは、加熱ローラ群２０Ｈから送り出されて調質ローラ群２０Ｔに導かれる。このとき、糸Ｙの送り方向に対して最も下流側に配置された加熱ローラ２１ｃの周速度よりも最も上流側に配置された調質ローラ２２ａの周速度が速いので、糸Ｙは、加熱ローラ２１ｃと調質ローラ２２ａの間（延伸区間Ｅｒ：図３参照）で延伸されることとなる。
【００３０】
調質ローラ群２０Ｔに導かれた糸Ｙは、該調質ローラ群２０Ｔによって調質に適した温度まで加熱される。つまり、調質ローラ群２０Ｔに導かれた糸Ｙは、所定の表面温度に設定されたそれぞれの調質ローラ２２ａ・２２ｂに巻き掛けられることにより、調質温度まで加熱されるのである。その後、調質が完了した糸Ｙは、調質ローラ群２０Ｔから送り出されて巻取装置３０に導かれる。
【００３１】
本紡糸巻取設備１００において、ゴデットローラ群２０Ａは、保温ボックス２３に収納されている。具体的に説明すると、ゴデットローラ群２０Ａを構成する加熱ローラ２１ａ・２１ｂ・２１ｃ及び調質ローラ２２ａ・２２ｂは、一つの保温ボックス２３に収納されている。加熱ローラ２１ａ・２１ｂ・２１ｃは、保温ボックス２３内の下部に配置され、調質ローラ２２ａ・２２ｂは、保温ボックス２３内の上部に配置されている。
【００３２】
加熱ローラ２１ａ・２１ｂ・２１ｃ及び調質ローラ２２ａ・２２ｂによって熱せられた空気は、重力が作用する方向に逆らって上方へ流れる。高温の空気は、膨張して単位体積当たりの質量が小さくなるので、周囲の空気によって押し上げられるからである（自然対流という）。すると、調質ローラ２２ａ・２２ｂは、保温ボックス２３内の上部に溜まった高温空気によって暖められるので、電熱ヒータ２２ｈの電力消費が抑えられる。また、加熱ローラ２１ａ・２１ｂは、調質ローラ２２ａ・２２ｂからの輻射熱などによって暖められるので、電熱ヒータ２１ｈの電力消費が抑えられる。このように、加熱ローラ２１ａ・２１ｂ・２１ｃ及び調質ローラ２２ａ・２２ｂを一つの保温ボックス２３に収納することは、電力消費を抑えてランニングコストを低減するのに有効である。
【００３３】
但し、従来の紡糸巻取設備においては、延伸区間Ｅｒにおける糸Ｙの温度制御が困難になるという問題点があった。これは、糸Ｙを延伸区間Ｅｒへ送り出す加熱ローラ２１ｃの表面温度、即ち、最も下流側に配置された加熱ローラ２１ｃの表面温度が、近傍に配置された加熱ローラ２１ａ・２１ｂや調質ローラ２２ａ・２２ｂから影響を受けて変化してしまうことに起因する。この点、本紡糸巻取設備１００においては、加熱ローラ２１ｃを覆う遮蔽カバー２４を備えているので、かかる問題点を解消できる。
【００３４】
図３は、加熱ローラ２１ｃを覆う遮蔽カバー２４を示す図である。なお、図中に示す矢印は、糸Ｙの送り方向及び加熱ローラ２１ａ・２１ｂ・２１ｃや調質ローラ２２ａ・２２ｂの回転方向を示している。
【００３５】
遮蔽カバー２４は、金属製の板材を折り曲げて形成されている。遮蔽カバー２４は、加熱ローラ２１ｃの周囲を囲うように形成され、保温ボックス２３の内壁に固定されている。遮蔽カバー２４には、入口孔２４ｉが形成されており、加熱ローラ２１ｂから送り出された糸Ｙは、入口孔２４ｉを通って加熱ローラ２１ｃに導かれる。また、遮蔽カバー２４には、出口孔２４ｏが形成されており、加熱ローラ２１ｃから送り出された糸Ｙは、出口孔２４ｏを通って調質ローラ２２ａに導かれる。なお、入口孔２４ｉ及び出口孔２４ｏは、糸Ｙが接触しない程度に小さく形成されている。そのため、糸Ｙの走行に伴って発生する気流により、遮蔽カバー２４の内側へ流れ込んだり、遮蔽カバー２４の外側へ流れ出たりする空気の量を低減することができる。また、加熱ローラ２１ａ・２１ｂや調質ローラ２２ａ・２２ｂの回転によって発生する気流により、遮蔽カバー２４の内側へ流れ込んだり、遮蔽カバー２４の外側へ流れ出たりする空気の量も同様に低減することができる。
【００３６】
このような構成により、加熱ローラ２１ｃの表面温度は、糸Ｙの走行に伴って発生する気流の影響を受けにくくなる。また、加熱ローラ２１ｃの表面温度は、近傍に配置された加熱ローラ２１ａ・２１ｂや調質ローラ２２ａ・２２ｂの回転によって発生する気流の影響を受けにくくなる。従って、本紡糸巻取設備１００は、延伸区間Ｅｒにおける糸Ｙの温度を高い精度で制御でき、高品質な糸Ｙを生産することが可能となる。
【００３７】
また、遮蔽カバー２４は、該遮蔽カバー２４の近傍に配置された加熱ローラ２１ａ・２１ｂや調質ローラ２２ａ・２２ｂからの輻射熱を遮断する。これは、輻射熱を遮断するのに適した材質を用いることで実現している。
【００３８】
このような構成により、加熱ローラ２１ｃの表面温度は、近傍に配置された加熱ローラ２１ａ・２１ｂや調質ローラ２２ａ・２２ｂからの輻射熱の影響を受けにくくすることができる。従って、本紡糸巻取設備１００は、延伸区間Ｅｒにおける糸Ｙの温度を更に高い精度で制御でき、高品質な糸Ｙを生産することを可能としている。
【００３９】
次に、本発明の他の実施形態に係る紡糸巻取設備２００について説明する。
【００４０】
図４は、紡糸巻取設備２００の全体構成を示す図である。本実施形態に係る紡糸巻取設備２００も、完全延伸糸（ＦＤＹ）を製造する設備にあたる。
【００４１】
紡糸巻取設備２００は、上述した紡糸巻取設備１００と同様に、主に紡出装置１０と、ゴデットローラ群２０Ｂと、巻取装置３０と、で構成されている。ここでは、紡糸巻取設備１００と異なる部分についてのみ説明する。
【００４２】
図５は、紡糸巻取設備２００を構成するゴデットローラ群２０Ｂを示す図である。なお、図中に示す矢印は、糸Ｙの送り方向を示している。
【００４３】
紡糸巻取設備２００を構成するゴデットローラ群２０Ｂは、加熱ローラ群２０Ｈと調質ローラ群２０Ｔに分けられる。本紡糸巻取設備２００において、加熱ローラ群２０Ｈは、二つの加熱ローラ２１ａ・２１ｂで構成されている。それぞれの加熱ローラ２１ａ・２１ｂには、温度調節手段である電熱ヒータ２１ｈが内蔵されており、各加熱ローラ２１ａ・２１ｂの表面温度を任意に設定することができる。一方、調質ローラ群２０Ｔも、二つの調質ローラ２２ａ・２２ｂで構成されている。それぞれの調質ローラ２２ａ・２２ｂには、温度調節手段である電熱ヒータ２２ｈが内蔵されており、各調質ローラ２２ａ・２２ｂの表面温度を任意に設定することができる。
【００４４】
加熱ローラ群２０Ｈに導かれた糸Ｙは、所定の表面温度に設定されたそれぞれの加熱ローラ２１ａ・２１ｂに巻き掛けられることにより、延伸温度まで加熱される。そして、延伸温度まで加熱された糸Ｙは、加熱ローラ群２０Ｈから送り出されて調質ローラ群２０Ｔに導かれる。このとき、糸Ｙの送り方向に対して最も下流側に配置された加熱ローラ２１ｂの周速度よりも最も上流側に配置された調質ローラ２２ａの周速度が速いので、糸Ｙは、加熱ローラ２１ｂと調質ローラ２２ａの間（延伸区間Ｅｒ：図６参照）で延伸されることとなる。
【００４５】
調質ローラ群２０Ｔに導かれた糸Ｙは、所定の表面温度に設定されたそれぞれの調質ローラ２２ａ・２２ｂに巻き掛けられることにより、調質温度まで加熱される。その後、調質が完了した糸Ｙは、調質ローラ群２０Ｔから送り出されて巻取装置３０に導かれる。
【００４６】
本紡糸巻取設備２００においても、ゴデットローラ群２０Ｂは、保温ボックス２３に収納されている。加熱ローラ２１ａ・２１ｂは、保温ボックス２３内の上部に配置され、調質ローラ２２ａ・２２ｂは、保温ボックス２３内の下部に配置されている。
【００４７】
図６は、加熱ローラ２１ｂを覆う遮蔽カバー２４を示す図である。なお、図中に示す矢印は、糸Ｙの送り方向及び加熱ローラ２１ａ・２１ｂや調質ローラ２２ａ・２２ｂの回転方向を示している。
【００４８】
遮蔽カバー２４は、金属製の板材を折り曲げて形成されている。遮蔽カバー２４は、加熱ローラ２１ｂの周囲を囲うように形成され、保温ボックス２３の内壁に固定されている。なお、遮蔽カバー２４には、入口孔２４ｉが形成されており、加熱ローラ２１ａから送り出された糸Ｙは、入口孔２４ｉを通って加熱ローラ２１ｂに導かれる。また、遮蔽カバー２４には、出口孔２４ｏが形成されており、加熱ローラ２１ｂから送り出された糸Ｙは、出口孔２４ｏを通って調質ローラ２２ａに導かれる。なお、入口孔２４ｉ及び出口孔２４ｏは、糸Ｙが接触しない程度に小さく形成されている。そのため、糸Ｙの走行に伴って発生する気流により、遮蔽カバー２４の内側へ流れ込んだり、遮蔽カバー２４の外側へ流れ出たりする空気の量を低減することができる。また、加熱ローラ２１ａ・２１ｂや調質ローラ２２ａ・２２ｂの回転によって発生する気流により、遮蔽カバー２４の内側へ流れ込んだり、遮蔽カバー２４の外側へ流れ出たりする空気の量を低減することができる。
【００４９】
このような構成により、加熱ローラ２１ｂの表面温度は、糸Ｙの走行に伴って発生する気流の影響を受けにくくなる。また、加熱ローラ２１ｂの表面温度は、近傍に配置された加熱ローラ２１ａや調質ローラ２２ａ・２２ｂの回転によって発生する気流の影響を受けにくくなる。従って、本紡糸巻取設備２００は、延伸区間Ｅｒにおける糸Ｙの温度を高い精度で制御でき、高品質な糸Ｙを生産することが可能となる。
【００５０】
また、遮蔽カバー２４は、該遮蔽カバー２４の近傍に配置された加熱ローラ２１ａや調質ローラ２２ａ・２２ｂからの輻射熱を遮断する。これは、輻射熱を遮断するのに適した材質を用いることで実現している。
【００５１】
このような構成により、加熱ローラ２１ｂの表面温度は、近傍に配置された加熱ローラ２１ａや調質ローラ２２ａ・２２ｂからの輻射熱の影響を受けにくくすることができる。従って、本紡糸巻取設備２００は、延伸区間Ｅｒにおける糸Ｙの温度を更に高い精度で制御でき、高品質な糸Ｙを生産することを可能としている。
【００５２】
次に、紡糸巻取設備１００と紡糸巻取設備２００に適用できる他の技術について説明する。ここでは、紡糸巻取設備１００を用いて説明する。
【００５３】
紡糸巻取設備１００において、加熱ローラ２１ａの表面温度は、延伸温度よりも高く設定されている。具体的に説明すると、延伸温度をＴｈとした場合、少なくとも加熱ローラ２１ａの表面温度は、延伸温度Ｔｈよりも高くなるように設定され、加熱ローラ２１ｃの表面温度は、延伸温度Ｔｈと略同等になるように設定されている。また、加熱ローラ２１ｂの表面温度は、加熱ローラ２１ａと略同等の温度でも構わないし、延伸温度Ｔｈに近い温度であっても構わない。例えば下記のような関係である。
表面温度：加熱ローラ２１ａ≧加熱ローラ２１ｂ≧加熱ローラ２１ｃ≒Ｔｈ
なお、下記のような関係も考えられる。
表面温度：加熱ローラ２１ｂ≧加熱ローラ２１ａ≧加熱ローラ２１ｃ≒Ｔｈ
【００５４】
本紡糸巻取設備１００の場合、加熱ローラ２１ａの表面温度が延伸温度Ｔｈよりも明らかに高い温度であることを示している。この場合、糸Ｙの温度は、加熱ローラ２１ａによって急速に上昇され、その後、下流側の加熱ローラ２１ｂ・２１ｃによって延伸温度Ｔｈに近づけられる。加熱ローラ２１ｂの温度は、加熱ローラ２１ａから送り出された糸Ｙが延伸温度Ｔｈに近い温度まで加熱されている場合は延伸温度Ｔｈに近い温度に設定され、延伸温度Ｔｈよりも低い場合はより高い温度に設定される。
【００５５】
このような構成により、糸Ｙの温度を効率良く延伸温度Ｔｈまで上昇させることができる。従って、本紡糸巻取設備１００は、加熱ローラの数を少なくすることで摩擦による毛羽の発生を低減でき（本紡糸巻取設備１００では、加熱ローラ２１ａ・２１ｂ・２１ｃの３つとした）、高品質な糸Ｙを生産することが可能となる。
【００５６】
但し、糸Ｙの温度を効率良く延伸温度Ｔｈまで上昇させることができれば良く、加熱ローラ（本紡糸巻取設備１００では加熱ローラ２１ａ）の表面温度を延伸温度Ｔｈよりも高く設定することに限定するものではない。
【００５７】
更に、紡糸巻取設備１００において、調質ローラ２２ａの表面温度は、調質温度よりも高く設定されている。具体的に説明すると、調質温度をＴｔとした場合、少なくとも加熱ローラ２２ａの表面温度は、延伸温度Ｔｔよりも高くなるように設定され、調質ローラ２２ｂの表面温度は、調質温度Ｔｔと略同等になるように設定されている。例えば下記のような関係である。
表面温度：調質ローラ２２ａ＞調質ローラ２２ｂ≒Ｔｔ
【００５８】
本紡糸巻取設備１００の場合、調質ローラ２２ａの表面温度のみが延伸温度Ｔｔよりも明らかに高い温度であることを示している。この場合、糸Ｙの温度は、調質ローラ２２ａによって急速に上昇され、その後、下流側の加熱ローラ２２ｂによって延伸温度Ｔｔに近づけられる。
【００５９】
このような構成により、糸Ｙの温度を効率良く延伸温度Ｔｔまで上昇させることができる。従って、本紡糸巻取設備１００は、調質ローラの数を少なくすることで摩擦による毛羽の発生を低減でき（本紡糸巻取設備１００では、調質ローラ２２ａ・２２ｂの２つとした）、高品質な糸Ｙを生産することが可能となる。
【００６０】
但し、糸Ｙの温度を効率良く延伸温度Ｔｔまで上昇させることができれば良く、調質ローラ（本紡糸巻取設備１００では調質ローラ２２ａ）の表面温度を延伸温度Ｔｔよりも高く設定することに限定するものではない。
【符号の説明】
【００６１】
１０              紡出装置
２０Ａ            ゴデットローラ群
２０Ｈ            加熱ローラ群
２０Ｔ            調質ローラ群
２１              加熱ローラ
２１ａ            加熱ローラ
２１ｂ            加熱ローラ
２１ｃ            加熱ローラ
２１ｈ            電熱ヒータ
２２              調質ローラ
２２ａ            調質ローラ
２２ｂ            調質ローラ
２２ｈ            電熱ヒータ
２３              保温ボックス
２４              遮蔽カバー
２４ｉ            入口孔
２４ｏ            出口孔
３０              巻取装置
１００            紡糸巻取設備
Ｆ                フィラメント
Ｐ                パッケージ
Ｙ                糸
Ｔｈ              延伸温度
Ｔｔ              調質温度
【図１】
2014101610.tif 000003
【図２】
2014101610.tif 000004
【図３】
2014101610.tif 000005
【図４】
2014101610.tif 000006
【図５】
2014101610.tif 000007
【図６】
2014101610.tif 000008
【手続補正書】
【提出日】平成25年11月20日(2013.11.20)
【手続補正１】
【補正対象書類名】明細書
【補正対象項目名】００５７
【補正方法】変更
【補正の内容】
【００５７】
更に、紡糸巻取設備１００において、調質ローラ２２ａの表面温度は、調質温度よりも高く設定されている。具体的に説明すると、調質温度をＴｔとした場合、少なくとも調質ローラ２２ａの表面温度は、調質温度Ｔｔよりも高くなるように設定され、調質ローラ２２ｂの表面温度は、調質温度Ｔｔと略同等になるように設定されている。例えば下記のような関係である。
表面温度：調質ローラ２２ａ＞調質ローラ２２ｂ≒Ｔｔ
【手続補正２】
【補正対象書類名】明細書
【補正対象項目名】００５８
【補正方法】変更
【補正の内容】
【００５８】
本紡糸巻取設備１００の場合、調質ローラ２２ａの表面温度のみが調質温度Ｔｔよりも明らかに高い温度であることを示している。この場合、糸Ｙの温度は、調質ローラ２２ａによって急速に上昇され、その後、下流側の調質ローラ２２ｂによって調質温度Ｔｔに近づけられる。
【手続補正３】
【補正対象書類名】明細書
【補正対象項目名】００５９
【補正方法】変更
【補正の内容】
【００５９】
このような構成により、糸Ｙの温度を効率良く調質温度Ｔｔまで上昇させることができる。従って、本紡糸巻取設備１００は、調質ローラの数を少なくすることで摩擦による毛羽の発生を低減でき（本紡糸巻取設備１００では、調質ローラ２２ａ・２２ｂの２つとした）、高品質な糸Ｙを生産することが可能となる。
【手続補正４】
【補正対象書類名】明細書
【補正対象項目名】００６０
【補正方法】変更
【補正の内容】
【００６０】
但し、糸Ｙの温度を効率良く調質温度Ｔｔまで上昇させることができれば良く、調質ローラ（本紡糸巻取設備１００では調質ローラ２２ａ）の表面温度を調質温度Ｔｔよりも高く設定することに限定するものではない。